(57)【要約】本発明は、光導波路（６，６ａ，７，８，１０６ｄ）用のコネクタ（１，５６，１０１，１５６）であって、コネクタハウジング（２，４３，１０２，１４３）を備えており、コネクタハウジングの後側端部には、光導波路ファイバー（７，８）を備える光ガイドバンドル（６，６ａ，７，８，１０６ｄ）が挿入されるとともに、コネクタハウジングの前側端部からは、光導波路ファイバー（７，８）のそれぞれ１つが挿入されたフェルール（９，１０）が出ており、このフェルール（９，１０）はフェルールハウジング（３，４，１０３，１０４）の中でばね負荷を受けながら、相応に成形されたコネクタハウジング（２，４３，１０３，１４３）に挿入されており、このコネクタ（１，５６，１０１，１５６）は、コネクタ（１，５６，１０１，１５６）を収容するカップリングハウジング（３１，３１′，１３１，３２，３２′，１３２）と嵌め合わせる用途に定められている形式のものに関する。フェルールハウジングは、２つの個々のフェルール（９，１０）を収容するために構成されたコアハウジング（３，１０３）とコア内側ハウジング（４，１０４）とからなっており、フェルール（９，１０）はコアハウジング（３，１０３）の中で保持されており、それぞれのフェルール（９，１０）の前側端部はコアハウジング（３，１０３）を通って前方に突き出しており、それぞれのフェルール（９，１０）の後側端部はコア内側ハウジング（４，１０４）の中に突入しており、コアハウジング（３，１０３）とコア内側ハウジング（４，１０４）は少なくとも部分的に相互に差し込まれていて二重ユニット（３−４，１０３−１０４）を形成している。
2004514931.tif 000002
【特許請求の範囲】
【請求項１】
光導波路（６，６ａ，７，８，１０６ｄ）用のコネクタ（１，５６，１０１，１５６）であって、コネクタハウジング（２，４３，１０２，１４３）を備えており、コネクタハウジングの後側端部には、少なくとも２つの光導波路ファイバー（７，８）を備える光ガイドバンドル（６，６ａ，７，８，１０６ｄ）が挿入されるとともに、これと対向するコネクタハウジングの前側端部からは、光導波路ファイバー（７，８）のそれぞれ１つが挿入されたフェルール（９，１０）が出ており、このフェルール（９，１０）はフェルールハウジング（３，４，１０３，１０４）の中で保持されており、このフェルールハウジングは、フェルールハウジング（３，４，１０３，１０４）を収容するために相応に成形されたコネクタハウジング（２，４３，１０２，１４３）に挿入されており、フェルール（９，１０）はばね負荷を受けて軸方向に可動であり、このコネクタ（１，５６，１０１，１５６）は、コネクタ（１，５６，１０１，１５６）を収容するカップリングハウジング（３１，３１′，１３１，３２，３２′，１３２）と嵌め合わせる用途に定められている形式のものにおいて、
フェルールハウジングが、２つの個々のフェルール（９，１０）を収容するために構成されたコアハウジング（３，１０３）とコア内側ハウジング（４，１０４）とからなっており、フェルール（９，１０）はコアハウジング（３，１０３）の中で保持されており、それぞれのフェルール（９，１０）の前側端部はコアハウジング（３，１０３）を通って前方に突き出しており、それぞれのフェルール（９，１０）の後側端部はコア内側ハウジング（４，１０４）の中に突入しており、コアハウジング（３，１０３）とコア内側ハウジング（４，１０４）は少なくとも部分的に相互に差し込まれていて二重ユニット（３−４，１０３−１０４）を形成していることを特徴とするコネクタ。
【請求項２】
コア内側ハウジング（４，１０４）が少なくとも部分的にコアハウジング（３，１０３）の中に差し込まれており、コア内側ハウジング（４，１０４）の後側部分は、光ガイドバンドル（６，６ａ，１０６ｄ）が挿入されている収容ハウジング（５，１０５ａ，１０５ｂ，１４４ａ，１４４ｂ）に収容されており、コアハウジング（３，１０３）と、コア内側ハウジング（４，１０４）と、収容ハウジング（５，１０５ａ，１０５ｂ，１４４ａ，１４４ｂ）とはコネクタハウジング（２，４３，１０２，１４３）の中に差し込まれて、そこで浮動式に保持されていることを特徴とする、請求項１に記載のコネクタ。
【請求項３】
コアハウジング（３，１０３）が、側壁（２６，４２，１２６，１４２）と前側の端面（５７，１５７）とを備える直方体ハウジングの形状を有しており、この端面には、フェルール（９，１０）を挿通するための２つの貫通孔（１５，１５′，１１５，１１５′）が中央にあり、この直方体ハウジング（３，１０３）はフェルール（９，１０）を収容するために後方に向かって開いていることを特徴とする、請求項１に記載のコネクタ。
【請求項４】
コア内側ハウジング（４）が、貫通孔（１８，１８′）を備える直方体プレート（１７）を含んでおり、この直方体プレートの前面（２３）には、コネクタ（１，５６）の軸方向に延びる、２つの貫通孔（１８，１８′）を備える二重円筒（１６）が冠着されており、直方体プレートの後面には、後側の収容ハウジング（５）に挿入するために２つの案内舌部（１９，１９′）が軸方向に延びており、案内舌部（１９，１９′）と収容ハウジング（５）は相互の係止手段（２１，２２）を有していることを特徴とする、請求項２に記載のコネクタ。
【請求項５】
前記係止手段（２１，２２）が係止ラグ（２１）と係止窓（２２）であり、係止ラグ（２１）は案内舌部（１９，１９′）に配置されており、収容ハウジング（５）は、それぞれ１つの係止窓（２２）を有する側壁（２３）を備える直方体ハウジング（５）の形状を有しており、案内舌部（１９，１９′）を収容ハウジングに挿入した後、この側壁に係止ラグを係止することができることを特徴とする、請求項４に記載のコネクタ。
【請求項６】
多重・二重コネクタ（５６，１５６）を構成するために、コアハウジング（３，１０３）とコア内側ハウジング（４，１０４）とからなる二重ユニット（３−４，１０３，１０４）が同一の形で多重に存在しており、これらの二重ユニット（３−４，１０３，１０４）は収容ハウジング（４４，１４４，１４４ａ，１４４ｂ）の中で相並んで配置されていることを特徴とする、請求項１に記載のコネクタ。
【請求項７】
収容ハウジング（５）が、相上下して配置された２つのハウジングシェル（４４）でできており、これらのハウジングシェルの間に二重ユニット（３−４）が相並んで配置されており、コア内側ハウジング（４）はハウジングシェル（４４）の中で係止部（２１，４８，４９）によって相互に係止されており、二重ユニット（３−４）ならびに収容ハウジング（５）は多重コネクタハウジング（４３）の中に差し込まれて、その内部で浮動式に保持されており、この多重コネクタハウジングは、相並んで配置されて相互に連結された複数の二重コネクタハウジング（５８，５９）を含んでいることを特徴とする、請求項６に記載のコネクタ。
【請求項８】
多重コネクタハウジング（４３）の二重コネクタハウジング（５８，５９）の少なくとも一部が、収容ハウジング（４４）とのロックを解除するためのストラップ（１３）を有していることを特徴とする、請求項７に記載のコネクタ。
【請求項９】
コア内側ハウジング（１０４）が、貫通孔（１１８，１１８′）を備える前側の直方体プレート（１１７ａ）と、これから光導波路（１０６ａ）の方向で平行に間隔をおいた、連結ウェブ（１１７ｃ）によって前側の直方体プレート（１１７ａ）とつながれた後側の直方体プレート（１１７ｂ）とを含んでおり、連結ウェブ（１１７ｃ）の側方ないし垂直方向の長さは、後側の直方体プレート（１１７ｂ）の側方ないし垂直方向の長さよりも短く、
前側の直方体プレート（１１７ａ）の前面（１２３）には、コネクタ（１０１）の軸方向に延びる、貫通孔（１１８，１１８′）を備える二重円筒（１１６）が冠着されており、
収容ハウジング（１０５ａ，１０５ｂ，１４４，１４４ａ，１４４ｂ）は相互に係止可能な２つのシェル半体（１０５ａ，１０５ｂ，１４４，１４４ａ，１４４ｂ）でできており、両方のシェル半体（１０５ａ，１０５ｂ，１４４，１４４ａ，１４４ｂ）の主面はそれぞれの内側に、収容ハウジング（１０５ａ，１０５ｂ，１４４，１４４ａ，１４４ｂ）の前側端部の領域にそれぞれ凹部（１６５，２６５）を有しており、この凹部は、シェル半体（１０５ａ，１０５ｂ，１４４，１４４ａ，１４４ｂ）が相互に係止されているとき、後側の直方体プレート（１１７ｂ）を嵌合によって収容することができることを特徴とする、請求項２または請求項２および７に記載のコネクタ。
【請求項１０】
収容ハウジング（１４４，１４４ａ，１４４ｂ）が、相上下して配置された２つのハウジングシェル（１４４，１４４ａ，１４４ｂ）でできており、これらのハウジングシェルの間に二重ユニット（１０３−１０４）が相並んで配置されており、二重ユニット（１０３−１０４）ならびに収容ハウジング（１４４，１４４ａ，１４４ｂ）は多重コネクタハウジング（１４３）の中に差し込まれてその内部で浮動式に保持されており、この多重コネクタハウジングは、相並んで配置されて相互に連結された複数の二重コネクタハウジング（１５８，１５９）を含んでいることを特徴とする、請求項７に記載のコネクタ。
【請求項１１】
コアハウジング（３，１０３）が、コネクタ（１，５６，１０１，１５６）の長軸に対して横向きの方向で約６ｍｍの高さと約３．５ｍｍの幅を有していることを特徴とする、請求項１から１０までのいずれか１項に記載のコネクタ。
【請求項１２】
請求項１から１１までのいずれか１項に記載のコネクタを備えるコネクタ・カップリング・システムにおいて、
コネクタ（１，５６，１０１，１５６）をカップリング（３１，３１′，３２，３２′，５１，１３１，１３２，１５１）に差し込むと、コアハウジング（３，１０３）がその前側端部で相互の係止部（３０，３８，１３０，１３８）によりカップリング（３１，３１′，３２，３２′，５１，１３１，１３２，１５１）に係止されることを特徴とする、コネクタ・カップリング・システム。
【請求項１３】
コアハウジング（３，１０３）に関する、コアハウジング（３，１０３）とカップリング（３１，３１′，３２，３２′，５１，１３１，１３２，１５１）の相互の係止部は、コアハウジング（３，１０３）の幅狭面（４２，１４２）に延びる横方向溝（３０，１３０）を含んでおり、カップリングは外側カップリングハウジング（３１，３１′，１３１）と内側カップリングハウジング（３２，３２′，１３２）とを含んでおり、この内側カップリングハウジングは実質的に直方体のプレート（３６）を有しており、このプレートの上には２つのアーム（３７，３７′，１３７）が屹立しており、これらのアームの端部には係止ラグ（３８，１３８）が配置されており、これらの係止ラグは、コアハウジング（３，１０３）を内側カップリングハウジング（３２，３２′，１３２）の両方のアーム（３７，３７′，１３７）の間に差し込んだときに、横方向溝（３０，１３０）に係止されることを特徴とする、請求項１２に記載のコネクタ・カップリング・システム。
【請求項１４】
内側カップリングハウジング（３２，３２′，１３２）が、さらに２つの内側の案内円筒を有しており、これらの案内円筒は側面が開いており、カップリングの中に突入するフェルール（９，１０）の端部領域を収容して案内する役目を果たすことを特徴とする、請求項１３に記載のコネクタ・カップリング・システム。
【請求項１５】
コネクタ（１，５６，１０１，１５６）が、それぞれ１つのコアハウジング（３，１０３）とコア内側ハウジング（４，１０４）によって形成される少なくとも１つの二重ユニット（３−４，１０３−１０４）を含んでおり、コアハウジング（３，１０３）とカップリング（３１，３１′，３２，３２′，５１，１３１，１３２，１５１）が相互に係止されると、コネクタハウジング（２，４３，１０２，１４３）がコネクタ（１，５６，１０１，１５６）の長手方向でコアハウジング（３，１０３）およびカップリング（３１，３１′，３２，３２′，５１，１３１，１３２，１５１）に対して、引抜き防止部を活動化する目的のために第１の位置へ変位可能であるとともに、引抜き防止部を不活動化する目的のために第２の位置へ変位可能であり、
第１の位置では、コネクタハウジング（２，４３，１０２，１４３）の壁部の一部が係止ラグ（３８，３８′，１３８）の領域で、アーム（３７，３７′，１３７）の係止ラグ（３８，３８′，１３８）が横方向溝（３０，１３０）から出るような可撓性がなくなるように配置され、それにより、光ガイド（６，６ａ，１０６ｄ）や収容ハウジング（５，４４，１０５，１４４，１４４ａ，１４４ｂ）を引っ張っることによって、コネクタ（１，５６，１０１，１５６）とカップリング（３１，３１′，３２，３２′，５１，１３１，１３２，１５１）の機械的な連結を解消可能ではないが、
第２の位置では、コネクタハウジング（２，４３，１０２，１４３）の壁部のどの部分も係止ラグ（３８，３８′，１３８）の領域に配置されないので、アーム（３７，３７′，１３７）の係止ラグ（３８，３８′，１３８）が横方向溝（３０，１３０）から出るような可撓性が生じており、光ガイド（６，６ａ，１０６ｄ）や収容ハウジング（５，４４，１０５ａ，１０５ｂ，１４４，１４４ａ，１４４ｂ）を引っ張っることによって、コネクタ（１，５６，１０１，１５６）とカップリング（３１，３１′，３２，３２′，５１，１３１，１３２，１５１）の機械的な連結を解消可能であることを特徴とする、請求項１３に記載のコネクタ・カップリング・システム。
【請求項１６】
コネクタハウジング（２，４３，１０２，１４３）が第２の位置にあるとき、横方向溝（３０，１３０）から出ようとする係止ラグ（３８，３８′，１３８）の可撓性は、アーム（３７，３７′，１３７）が、カップリング（３１，３１′，３２，３２′，５１，１３１，１３２，１５１）と反対を向いている方の端部領域（８４，１８４，２８４）で、コネクタハウジング（２，４３，１０２，１４３）の壁部の切欠きに係合できることによって生じることを特徴とする、請求項１５に記載のコネクタ・カップリング・システム。
【請求項１７】
外側カップリングハウジング（３１，３１′，１３１）が、コネクタ（１，５６，１０１，１５６）の長軸に対して横向きの方向では約１２ｍｍの高さと約６ｍｍの幅を有するとともに、コネクタ（１，５６，１０１，１５６）の長軸の方向へは１１ｍｍの長さを有していることを特徴とする、請求項１５に記載のコネクタ・カップリング・システム。
【発明の詳細な説明】
【０００１】
（技術分野）
本発明は、請求項１の上位概念に基づく光導波路用のコネクタであって、コネクタハウジングを備えており、コネクタハウジングの後側端部には、少なくとも２つの光導波路ファイバーを備える光ガイドバンドルが挿入されるとともに、これと対向するコネクタハウジングの前側端部からは、光導波路ファイバーのそれぞれ１つが挿入されたフェルールが出ており、このフェルールはフェルールハウジングの中で保持されており、このフェルールハウジングは、フェルールハウジングを収容するために相応に成形されたコネクタハウジングに挿入されており、フェルールはばね負荷を受けて軸方向に可動であり、このコネクタは、コネクタを収容するカップリングハウジングと嵌め合わせる用途に定められている形式のものに関する。
【０００２】
（従来技術）
当分野に属する従来技術のコネクタは、原理的に、米国特許明細書５，３１５，６７９に記載されているように構成されている。同明細書により、内部に２つのフェルールが配置された２つの平坦なシェル半体からなるコネクタハウジングでできた、光ガイドケーブル用のコネクタが公知となっている。フェルールは、それぞれ個別に１つの閉じたフェルールハウジングの中で可動に保持されており、２つの分離した光ファイバーを含むいわゆるＺｉｐ−Ｃｏｒｄケーブルが、２つの個別ケーブルに通されている。各々のケーブルはコネクタハウジングの内部で個別に、それぞれのフェルールハウジングの方に向かって個々のフェルールまで通されており、したがって、各々のケーブルを個別に分離した状態で支えて、引張力を軽減しなければならない。このような種類のフェルールガイドは、シンプレックスガイドまたはシンプレックスフェルールの名称で知られており、１つのフェルールごとに別個のフェルールハウジングが存在することを特徴としている。二重コネクタや、２つを超えるフェルールすなわち２ｎ個のフェルールを備えるコネクタも、個別のシンプレックスフェルールを組み合わせて構成される。
【０００３】
さらに、それぞれの端部が光ファイバーとともに、プラスチックからなる共通の端面またはプレートの中で終わっていてその内部で統合されている、２つのフェルールで二重コネクタを構成することが公知である。このような配置は個々のコネクタないしフェルールの比較的高い実装密度を可能にするが、この種のコネクタは製造の関係上、個々のフェルールが凸面状の接触形状をもはや有していないという欠点がある。というのも、シンプレックスフェルールの表面は、特に、８度から９度の角度で凸面状の接触形状を有しているからである（いわゆるａｎｇｅｌ−ｐｏｌｉｓｈｉｎｇコネクタ＝ａｐｃ接触）。この場合、先端が凸面状に成形されたフェルールは、同様に凸面状に成形されている、カップリングの中にある対向するコネクタのフェルールの先端に当り、このとき、後者のフェルールは前者のフェルールに対して１８０度だけ回転している。このようにして、反射された妨害光がほぼ無害となり、ごく一部しか光ファイバの中に到達できないことが保証される。しかし、このようなａｐｃ接触は単独フェルールの場合にしか可能でない。
【０００４】
さらに、不適切な取扱によって予期せぬコネクタの引抜きが起こらないように、コネクタが固定されていなくてはならない。光ガイドケーブル自体が強く引っ張られることによっても、取外し機構が外れる可能性があることが判明している。そのためにコネクタとカップリングの間の連結が外れるのは好ましくない。
【０００５】
（技術的な課題）
本発明の課題は、単独フェルールの利点が維持されており、特に、対応する２つのフェルールのａｐｃ接触の可能性が与えられている、二重コネクタまたは多重・二重コネクタの構造を可能にする、当分野に属する種類のコネクタを提供することである。さらにこのコネクタは、高い実装密度を可能にするのが望ましい。さらにこのコネクタは、高い信頼度の引抜き防止を有しており、それにより、誤ってケーブルを引っ張ることによって引き抜かれることがないのが望ましい。
【０００６】
（本発明の開示、本発明の利点）
この課題は、本発明によれば、光導波路用のコネクタであって、コネクタハウジングを備えており、コネクタハウジングの後側端部には、少なくとも２つの光導波路ファイバーを備える光ガイドバンドルが挿入されるとともに、これと対向するコネクタハウジングの前側端部からは、光導波路ファイバーのそれぞれ１つが挿入されたフェルールが出ており、このフェルールはフェルールハウジングの中で保持されており、このフェルールハウジングは、フェルールハウジングを収容するために相応に成形されたコネクタハウジングに挿入されており、フェルールはばね負荷を受けて軸方向に可動であり、このコネクタは、コネクタを収容するカップリングハウジングと嵌め合わせる用途に定められており、フェルールハウジングは、２つの個々のフェルールを収容するために構成されたコアハウジングとコア内側ハウジングとからなっており、フェルールはコアハウジングの中で保持されており、それぞれのフェルールの前側端部はコアハウジングを通って前方に突き出しており、それぞれのフェルールの後側端部はコア内側ハウジングの中に突入しており、コアハウジングとコア内側ハウジングは少なくとも部分的に相互に差し込まれていて二重ユニットを形成しているものによって解決される。
【０００７】
このコネクタの別の実施形態では、コア内側ハウジングが少なくとも部分的にコアハウジングの中に差し込まれており、コア内側ハウジングの後側部分は、光ガイドバンドルが挿入されている収容ハウジングに収容されており、コアハウジングと、コア内側ハウジングと、収容ハウジングとはコネクタハウジングの中に差し込まれて、そこで浮動式に保持されている。
【０００８】
このコネクタの別の実施形態では、コアハウジングが、側壁と前側の端面とを備える直方体ハウジングの形状を有しており、この端面には、フェルールを挿通するための２つの貫通孔が中央にあり、この直方体ハウジングはフェルールを収容するために後方に向かって開いている。
【０００９】
このコネクタの別の実施形態では、コア内側ハウジングが、貫通孔を備える直方体プレートを含んでおり、この直方体プレートの前面には、コネクタの軸方向に延びる、２つの貫通孔を備える二重円筒が冠着されており、直方体プレートの後面には、後側の収容ハウジングに挿入するために２つの案内舌部が軸方向に延びており、案内舌部と収容ハウジングは相互の係止手段を有している。
【００１０】
有利な実施形態では、係止手段は係止ラグと係止窓であり、係止ラグは案内舌部に配置されており、収容ハウジングは、それぞれ１つの係止窓を有する側壁を備える直方体ハウジングの形状を有しており、案内舌部を収容ハウジングに挿入した後、この側壁に係止ラグを係止することができる。
【００１１】
特に、常に同時に２つのフェルールを保持するための本発明による二重ユニットは、多重・二重コネクタの構造を可能にするものであり、すなわち、従来技術の匹敵するコネクタよりもコンパクトに、かつ著しく小型に構成された２ｎ二重コネクタの構造を可能にする。多重・二重コネクタを構成するために、前側のコアハウジングと後側のコア内側ハウジングとからなる二重ユニットが同一の形で多重に存在しており、これらの二重ユニットは収容ハウジングの中で相並んで配置されている。
【００１２】
この場合、収容ハウジングは、相上下して配置された２つのハウジングシェルでできており、これらのハウジングシェルの間に二重ユニットが相並んで配置されており、コア内側ハウジングはハウジングシェルの中で係止部によって相互に係止されており、二重ユニットならびに収容ハウジングは多重コネクタハウジングの中に差し込まれて、その内部で浮動式に保持されており、この多重コネクタハウジングは、相並んで配置されて相互に連結された複数の二重コネクタハウジングを含んでいる。多重・二重コネクタの別の実施形態では、多重コネクタハウジングの両方の外側の二重コネクタハウジングが、ストラップを押し込むことによって収容ハウジングとのロックを解除するためのストラップを有している。
【００１３】
別の有利な実施形態では、コア内側ハウジングが、貫通孔を備える前側の直方体プレートと、これから光導波路の方向で平行に間隔をおいた、連結ウェブによって前側の直方体プレートとつながれた後側の直方体プレートとを含んでおり、連結ウェブの側方ないし垂直方向の長さは、後側の直方体プレートの側方ないし垂直方向の長さよりも短い。前側の直方体プレートの前面には、コネクタの軸方向に延びる、コア内側ハウジングにフェルールを挿通する役目をする貫通孔を備える二重円筒が冠着されている。収容ハウジングは相互に係止可能な２つのシェル半体でできており、両方のシェル半体の主面はそれぞれの内側に、収容ハウジングの前側端部の領域にそれぞれ凹部を有しており、この凹部は、シェル半体が相互に係止されているとき、後側の直方体プレートを嵌合によって収容することができる。
【００１４】
収容ハウジングは、本発明による多重コネクタの一実施形態では、相上下して配置された２つのハウジングシェルでできており、これらのハウジングシェルの間に二重ユニットが相並んで配置されており、二重ユニットならびに収容ハウジングは多重コネクタハウジングの中に差し込まれてその内部で浮動式に保持されており、この多重コネクタハウジングは、相並んで配置されて相互に連結された複数の二重コネクタハウジングを含んでいる。
【００１５】
本発明によるコネクタはコネクタ・カップリング・システムの一部であり、コネクタをカップリングに差し込むと、コアハウジングがその前側端部で相互の係止部によりカップリングに係止される。
【００１６】
コアハウジングに関する、コアハウジングとカップリングの相互の係止部は、コアハウジングの幅狭面に延びる横方向溝を含んでいてよく、カップリングは外側カップリングハウジングと内側カップリングハウジングとを含んでおり、この内側カップリングハウジングは実質的に直方体のプレートを有しており、このプレートの上には２つのアームが屹立しており、これらのアームの端部には係止ラグが配置されており、これらの係止ラグは、コアハウジングを内側カップリングハウジングの両方のアームの間に差し込んだときに、横方向溝に係止される。
【００１７】
内側カップリングハウジングは、さらに２つの内側の案内円筒を有しており、これらの案内円筒は側面が開いており、カップリングの中に突入するフェルールの端部領域を収容して案内する役目を果たす。
【００１８】
本発明では、コネクタは、予期せずコネクタがカップリングから引き抜かれるのを防ぐ引抜き防止部を備えていてよく、この引抜き防止部は活動化可能かつ不活動化可能である。そのためにコネクタは、それぞれ１つのコアハウジングとコア内側ハウジングによって形成される少なくとも１つの二重ユニットを含んでおり、コアハウジングとカップリングが相互に係止されると、コネクタハウジングがコネクタの長手方向でコアハウジングおよびカップリングに対して、引抜き防止部を活動化する目的のために第１の位置へ変位可能であるとともに、引抜き防止部を不活動化する目的のために第２の位置へ変位可能であり、第１の位置では、すなわち引抜き防止部が活動化されているときには、コネクタハウジングの壁部の一部が係止ラグの領域で、アームの係止ラグが横方向溝から出るような可撓性がなくなるように配置され、それにより、光ガイドや収容ハウジングを引っ張っることによって、コネクタとカップリングの機械的な連結を解消可能ではない。このようにして、カップリングからの二重コネクタないし多重コネクタの引抜きが、本発明により不可能となる。
【００１９】
それに対して第２の位置では、すなわち引抜き防止部が不活動化されているときには、コネクタハウジングの壁部のどの部分も係止ラグの領域に配置されないので、アームの係止ラグが横方向溝から出るような可撓性が生じており、光ガイドや収容ハウジングを引っ張っることによって、コネクタとカップリングの機械的な連結を解消可能である。このようにして、カップリングからの二重コネクタないし多重コネクタの引抜きが可能になる。
【００２０】
有利な実施形態では、コネクタハウジングが第２の位置にあるとき、横方向溝から出ようとする係止ラグの可撓性は、アームが、カップリングと反対を向いている方の端部領域で、コネクタハウジングの壁部の切欠きに係合できることによって生じる。
【００２１】
光学情報の伝送を目的とするコネクタの小型化を可能にするのは、本発明による構造だけである。
【００２２】
本発明により、単独フェルールの決定的な利点がそのまま維持され、特に、カップリングの中で対向する２つのフェルールのａｐｃ接触が可能な、二重コネクタまたは多重・二重コネクタの構造が可能になるという利点がある。本発明のさらに別の利点は、コネクタが高い実装密度を可能にすることであり、このことは、本発明による二重ユニットに基づいて可能となる。同様に、このコネクタは高い信頼度の引抜き防止性を備えているので、誤って光ファイバーを引っ張ることによって引き抜かれることがない。
【００２３】
図面は以下のとおりである。
【００２４】
【発明の実施の形態】
図１ａ，ｂ，ｃは、外側カップリングハウジング３１に本発明の二重コネクタ１を挿入する過程を模式的に示している。二重コネクタ１は、収容ハウジング５と、コア内側ハウジング４と、コアハウジング３と、断面図で示すコネクタハウジング２とを含んでいる。収容ハウジング５と、コア内側ハウジング４と、コアハウジング３とは、図１では、図２から図９を援用して後からまた説明するように組み立てられているので、コア内側ハウジング４の直方体プレート１７だけが見えている。コア内側ハウジングの残りの部分は、収容ハウジング５ないしコアハウジング３の中に収容されているからである。コネクタハウジング２は、二重ユニット３−４の上に被せられている。図１ａでは、二重コネクタ１が外側カップリングハウジング３１にようやく部分的に差し込まれている。カップリングと二重コネクタの係止は、まだ成立していない。図１ｂでは、二重ユニット３−４および収容ハウジング５からなるモジュールが、カップリングの中に完全に挿入されている。コアハウジング３は、横方向溝３０と係止ラグ３８とによって、内側カップリングハウジング３２と係止されている。ただしこの係止は、後側の収容ハウジングまたは光ガイドバンドル６（図１には図示せず）をわずかな力で引っ張ることによって、再び解消することができる。なぜなら係止ラグ３８は、アーム３７をごく軽微に側方へ外方に向かって切欠き８４の中へ曲げながら、横方向溝３０から出るように撓ませることができるからである。
【００２５】
そして、コネクタハウジング２をカップリングの方向に押していくと、ついにはコネクタハウジングも係止ラグ２８および係止窓３５によって、外側カップリングハウジング３１と係止される（図１ｃ）。切欠き８４は、図１ｂに比べてカップリングの方向に変位しており、もはや係止ラグ３８の領域にはない。コアハウジング３と内側カップリングハウジング３２との間の係止は、収容ハウジング５または光ガイドバンドル６（図１には図示せず）を引っ張ることによっては、解消することができない。なぜなら係止ラグ３８は、もはや側方へ横方向溝３０から出るように撓ませることができないからである。コアハウジング３と内側カップリングハウジング３２との間の係止は、図１ｃに示すコネクタハウジング２の位置では解消可能でなく、したがって引抜き防止として機能する。コネクタとカップリングは互いに堅固にロックされている。引抜き防止の不活動化、およびこれに伴うロック解除は、コネクタハウジング２を光ガイドバンドル６の方向へ引き戻して、図１ｂに示す位置にすることによってのみ可能である。そのためには、まずストラップ１３に圧力をかけ、それによって係止ラグ２８を係止窓３５から外へ撓ませ、次いで、コネクタハウジング２を光ガイドバンドル６の方向へ動かす。そして、係止ラグ３８を側方へ撓ませながら、コネクタ１をわずかな力のコストで再びカップリングから外すことができる。
【００２６】
図２から図９には、主要な部品として、コネクタハウジング２と、コアハウジング３と、コア内側ハウジング４と、光ガイドバンドル６が中に挿入される、コア内側ハウジング４の後に続く収容ハウジング５とで構成される二重コネクタが図示されている。コアハウジング３は、対向する２つの幅広面２６と、その間に配置された幅狭面４２と、相上下して配置された２つの貫通孔１５，１５′が配置されている前方を向いた端面５７とを備える直方体ハウジングとして施工されている。コア内側ハウジング４は、前側の幅広面２３に二重円筒１６をコネクタ１の長軸方向に支持する直方体プレート１７を含んでおり、この二重円筒１６は２つの貫通孔１８，１８′を有している。直方体プレート１７の、これと対向する反対側の幅広面には、外面にそれぞれ横方向に延びるウェブ２５と係止ラグ２１を有する、間隔をおいた２つの案内舌部１９，１９′が、直方体プレートに対して垂直に突出している。コアハウジング３とコア内側ハウジング４は、２つのフェルール９，１０を収容するためのいわば二重ユニットを形成しており、これらのフェルールは、図８と図９に詳細を示すように、この二重ユニットの内部で圧縮ばね１２によってばね負荷をかけられた状態で保持される。
【００２７】
コアハウジング３もコア内側ハウジング４も、両方のフェルール９，１０を収容するために構成されており、フェルールはコアハウジング３の中で保持される。その様子は、特に図８と図９に明らかに見ることができ、フェルール９，１０の前側端部９，１０は、コアハウジングを通って端面５７から前方に突出する。フェルール９，１０の後側端部はコア内側ハウジング４の中に突入しており、その様子は同じく図８に見ることができる。コアハウジング３とコア内側ハウジング４は少なくとも部分的に相互に嵌め合わされており、それによって二重ユニット３−４を形成しており、図示した例では、コア内側ハウジング４はその前側部分でコアハウジング３の収容室に差し込まれている。コアハウジング３とコア内側ハウジング４を組み合わせると、図８からわかるように、コアハウジング３は、コア内側ハウジング４の前側の直方体プレート１７の幅広面２３から屹立する。直方体プレート１７の二重円筒１６は、コアハウジング３または直方体ハウジングを二重円筒１６に被せたときに、コアハウジング３ないし直方体ハウジング３の幅広面２６の内部にある係止窓２７に係止される係止ラグ６０を有している。
【００２８】
フェルール９，１０を正確に保持するために、フェルールは公知の仕方で、複数のキー面を備える定置に配置された回り止め１１を有しており、この回り止めにより、フェルールはキー面の数に応じた相応の角度ピッチで、コアハウジング内部でこれに対して位置決めすることができる。このときフェルール９，１０は後方からコアハウジング３に挿入され、コアハウジング内部で相応に成形された着座部に相並んで配置され、軸方向に可動なように保持されており、それぞれ１つの圧縮ばね１２が後方からフェルール９，１０に被せられ、圧縮ばねの前側端部が回り止め１１に作用する。
【００２９】
圧縮ばね１２の後側端部は、コア内側ハウジング４の内側の段差部に対して支持されており、この内側で周回している段差部は、図８からわかるように、直方体プレート１７の領域に位置している。このようにして、フェルール９，１０はばね１２のばね力に抗して軸方向へ若干動くことができる。フェルール９，１０の後側端部は、直方体プレート１７の内部にある相応の貫通孔に挿通されており、同じく図８からもっとも良くわかるように、案内舌部１９，１９′の間でこれに沿って延びている。
【００３０】
コアハウジング３とコア内側ハウジング４からなる二重ユニット３−４は、同じく実質的に直方体ハウジングとして構成された後側の収容ハウジング５の収容容積部２０に差し込まれている。この収容ハウジング５に、光ガイドバンドル６が後方から挿入される。光ガイドバンドル６は少なくとも２つの光ファイバ７，８を有しており、光ファイバ７，８はフェルール９，１０によってその先端部に案内されている。
【００３１】
コアハウジング３、コア内側ハウジング４、および収容ハウジング５を組み立てるために、フェルール９，１０の内部に光ファイバ７，８を取り付けた後、二重ユニット３−４を、その内部に配置されているフェルール９，１０とともに、収容ハウジング５の収容容積部２０に差し込む。収容ハウジング５は幅狭面６３の内側に案内溝２４を有しており、案内舌部１９，１９′を差し込むと、係止ラグ２１ならびに横方向に延びるウェブ２５がこの案内部に沿って摺動し、係止ラグ２１は最終位置で、収容ハウジング５の幅狭面６３にある係止窓２２の内部に係止される。すると、収容ハウジングないし直方体ハウジングの外側の端面側の縁部が、図８からわかるように、横方向プレート１７の後側の幅広面の上に着座する。
【００３２】
二重ユニット３−４は収容ハウジング５とともにコネクタハウジング２の中に挿入され、このコネクタハウジングは、同じく実質的に直方体ハウジングとして施工されるとともに、互いに対向する２つの広いハウジング面と、その間に配置された２つの幅狭面とを備えている。コネクタハウジング２は、両方の端面が開いている。コアハウジング３、コア内側ハウジング４、および収容ハウジング５は、コネクタハウジング２の中で浮動式に保持される。
【００３３】
コネクタ１をカップリングに差し込むと、コアハウジング３はその前側端部で、相互の係止部によってカップリングの内部で係止され、その様子は特に図３から図９に図示されている。個々のカップリングは外側カップリングハウジング３１，３１′で構成されており、その中に内側カップリングハウジング３２，３２′が挿入されている。この両方の部分、すなわち外側カップリングハウジング３１，３１′と内側カップリングハウジング３２，３２′は、２つの同一のコネクタ１によって光導波路接続を継続させようとする場合には、図３，図５、および図９からわかるように、２重に設けられているのが好ましい。外側カップリングハウジング３１，３１′の収容容積部３３には、コネクタハウジング２を差し込むことができ、そのために、外側カップリングハウジング３１，３１′の収容容積部３３の内部輪郭と、コネクタハウジング２の外側輪郭とは呼応するように成形されている。
【００３４】
各々の外側カップリングハウジング３１，３１′の内部には、図７に示すようにプレート３６からなる内側カップリングハウジング３２，３２′が配置されており、このプレートの上には中央に、２つの貫通孔４０を備える長円形の収容部分３９が配置されており、プレート３６は貫通孔４０と揃う穴を有している。さらにプレート３６の上には、間隔をおいて対向する２つのアーム３７，３７′が屹立しており、これらのアームの間に収容部分３９があり、アーム３７，３７′はそれぞれの自由端に係止ラグ３８を有している。図８からわかるように、これらの係止ラグ３８は、コネクタ１を外側カップリングハウジング３１，３１′に押し込んだとき、コアハウジング３の幅狭面４２の内部に横方向に延びる横方向溝３０に係合し、その内部で係止される。このようにして、二重ユニット３−４は内側カップリングハウジング３２，３２′の内部で確実に保持される。
【００３５】
コネクタ５６の別の有利な実施形態が、８倍の多重コネクタハウジングを備える多重・二重コネクタ５６を示す図１０から図２１に図示されている。多重・二重コネクタは、複数の二重コネクタで実質的に構成されており、コアハウジング３とコア内側ハウジング４からなる二重ユニット３−４がそれぞれ設けられ、同一に施工されている。したがって、多重・二重コネクタ５６を構成するために、コアハウジング３とコア内側ハウジング４からなる二重ユニット３−４も同様に多重に設けられており、二重ユニット３−４は、下側のハウジングシェル４４と（図示しない）上側のハウジングシェルとを含む収容ハウジングの中に、相並んで配置されている。後方から光ガイドバンドル６が挿入される収容ハウジングは、二重コネクタ１の収容ハウジング５に対して改変された施工になっているのが好ましい。
【００３６】
多重・二重コネクタを構成するために、ｎ倍の二重コネクタが設けられるのが好ましい。しかしながら、たとえば３つの単独フェルールが３重コアハウジングと３重コア内側ハウジングの中に配置されており、フェルールが相並んで、または相上下して配置されていてよい実施形態も同様に可能であり、特殊な用途向けには有意義である。
【００３７】
一例として図示している多重・二重コネクタ５６では、収容ハウジングは、相上下して配置された２つのハウジングシェルでできており、そのうち下側のハウジングシェルだけが図示されており、これらのハウジングシェルの間に、二重コネクタ１の実施形態について説明したような二重ユニット３−４が相並んで配置されている。両方のハウジングシェル４４の中にあるコア内側ハウジング４は、係止部２１，４８，４９（図１１）によって相互に係止することができる。二重ユニット３−４ならびに収容ハウジング５は、多重コネクタハウジング４３に差し込まれ、その内部で浮動式に保持されており、多重コネクタハウジング４３は、相並んで配置されて相互に連結された複数の二重コネクタハウジング５８，５９を含んでいる。内部に位置する二重コネクタハウジング５９も同一に施工されており、それぞれ縁部側の二重コネクタハウジング５８は互いに左右対称に施工されている。
【００３８】
図１１と図１２は、収容ハウジングの下側のハウジングシェル４４の平面図と、多重・二重コネクタ５６の下側のハウジングシェル４４の端面の図とを示している。各々のハウジングシェル４４の内側の主面５０には、底面に係止窓４８および４９を有する、互いに間隔をおいた収容溝４７が形成されている。収容溝４７は、それぞれ１つの二重ユニット３−４を収容する役目を果たすものであり、ウェブ２５（図２）が係止窓４９に係止されるとともに、係止ラグ２１が係止窓４８に係止される。下側のハウジングシェル４４は、光ガイドバンドル６が挿入される、先細になっている後側の端部に、（図示しない）上側のハウジングシェルのための係止手段を有しており、この係止手段は、たとえば係止ラグ４６が配置されたそれぞれ１つの案内舌部４５で構成されている。
【００３９】
図１３から図１９は、多重・二重コネクタ５６の多重コネクタハウジング４３を、さまざまな外観図と断面図で示している。個々の二重コネクタハウジング５８および５９は、カップリングの方を向いている前側端部では互いに間隔をおいており、カップリングと反対の方を向いている後側端部では１つにまとめられている。その様子は図１０と図１９から明らかにわかる。
【００４０】
多重・二重コネクタ５６に付属する多重カップリングが、図２０には平面図、図２１には図２０のＡ−Ａ線に沿った断面図でそれぞれ示されている。このような種類の多重カップリングは、二重コネクタの外側カップリングハウジングに準じて複数の収容部分５２を含んでいる外側カップリングハウジング５１でできている。この複数の収容部分５２は、一体的な外側カップリングハウジング５１を形成する１つのブロックにまとめられている。外側カップリングハウジング５１のそれぞれ個々の収容部分５２には、図７に準ずる内側カップリングハウジング３２，３２′が配置されている。図３および図６と同じく図２０からもわかるように、外側カップリングハウジング３１ないし個々の収容部分５２の内壁は、幅広面に案内溝５５，６４を有している。このそれぞれの案内溝５５，６４には、コネクタハウジング２ないし多重コネクタハウジング４３を付属の外側カップリングハウジング３１，３１′ないし５１へ挿入するときに、カップリング内部で案内をするための隆起した長手ウェブ５３ないし６２が摺動して入り込み、この長手ウェブ５３ないし６２は、コネクタハウジング２ないし多重コネクタハウジング４３の外側の幅広面の少なくとも１つに形成されている。
【００４１】
図２３には、主要な部品としてコネクタハウジング１０２と、コアハウジング１０３と、コア内側ハウジング１０４と、２部分からなる収容ハウジング１０５ａ，１０５ｂとで構成された本発明による二重コネクタの別の実施形態１０１が、分解図として図示されている。この収容ハウジングの中には、クリンプ接続部１０６ａと、クリンプスリーブ１０６ｂと、座屈防止具１０６ｃとによって光ガイドバンドル１０６ｄが挿入されており、収容ハウジングはコア内側ハウジング１０４の後に続いている。コアハウジング１０３は、互いに対向する２つの幅広面１２６と、その間に配置されたばねスリット１４２ａを備える幅狭面１４２と、相上下して配置された２つの貫通孔１１５，１１５′が配置された、前方に向いている端面１５７とを備える長方形ハウジングとして施工されている。
【００４２】
コア内側ハウジング１０４は前側の直方体プレート１１７ａを含んでおり、この直方体プレートは前側の幅広面１２３に、コネクタ１０１の長軸の方向へ二重円筒１１６を支持しており、この二重円筒１１６は２つの貫通孔１１８，１１８′を有している。さらにコア内側ハウジング１０４は、後側の直方体プレート１１７ｂを含んでいる。この直方体プレートは前側の直方体プレート１１７ａと平行に配置されており、前側の直方体プレート１１７ａの後側の幅広面に対して間隔をおくとともに、同じく直方体状の連結ウェブ１１７ｃによってこれと連結されており、この連結ウェブの長手方向の長さは、前側の直方体プレート１１７ａの後側の幅広面と、後側の直方体プレート１１７ｂの前面との間の間隔に対応しており、連結ウェブの側方ないし垂直方向の長さは、前側および後側の直方体プレート１１７ａ、１１７ｂのそれぞれの側方ないし垂直方向の長さよりも短い。
【００４３】
コアハウジング１０３とコア内側ハウジング１０４は、２つのフェルール９，１０を収容するためのいわば二重ユニット１０３−１０４を形成しており、これらのフェルールは、この二重ユニットの内部で、圧縮ばね１２によってばね負荷をかけられた状態で保持されている。
【００４４】
コアハウジング１０３とコア内側ハウジング１０４とは、両方のフェルール９，１０を収容するように構成されており、フェルールはコアハウジング１０３の中に保持されており、フェルール９，１０の前側端部は、コアハウジング１０３の端面１５７を通って前方に突出する。フェルール９，１０の後側端部はコア内側ハウジング１０４の中に突入している。コアハウジング１０３とコア内側ハウジング１０４は少なくとも部分的に相互に嵌め合わされており、それによって二重ユニット１０３−１０４を形成している。コアハウジング１０３とコア内側ハウジング１０４を組み合わせると、コアハウジング１０３は、コア内側ハウジング１０４の前側の直方体プレート１１７ａの前側の幅広面１２３から屹立する。二重円筒１１６の側方には、コアハウジング１０３を二重円筒１１６に被せたときにコアハウジング１０３の対応する係止窓１２７に係止することができる、互いに対向する係止ラグ１６０が配置されている。
【００４５】
フェルール９，１０は回り止め１１を有しており、後方からコアハウジング１０３に挿入され、コアハウジング１０３内部で相応に成形された着座部に相並んで配置され、軸方向に可動なように保持されており、それぞれ１つの圧縮ばね１２が後方からフェルール９，１０に被せられ、圧縮ばねの前側端部が回り止め１１に作用する。圧縮ばね１２の後側端部は、コア内側ハウジング１０４の内側の段差部に対して支持されている。このようにして、フェルール９，１０はばね１２のばね力に抗して軸方向へ若干動くことができる。フェルール９，１０の後側端部は、前側の直方体プレート１１７ａの内部にある相応の貫通孔に挿通されている。光ガイドバンドル６ａは少なくとも２つの光ファイバー７，８を有しており、光ファイバー７，８はフェルール９，１０を通ってその先端部に案内されている。
【００４６】
収容ハウジング１０５ａ，１０５ｂは２つの部分を含んでおり、すなわち、係止ラグ１６６，１６７と係止窓１６８によって互いに対向するように相互に係止可能な左側のシェル半体１０５ａと右側のシェル半体１０５ｂとを含んでおり、それぞれのシェル半体１０５ａ，１０５ｂの間には中空スペースがある。
【００４７】
係止ラグ１６６，１６７および係止穴１６８の位置と形状は、両方のシェル半体１０５ａ，１０５ｂが差異を有している必要がなく、同一に施工されていてよいが、それにもかかわらず相互に係止可能であるように選択するのが好ましい。両方のシェル半体１０５ａ，１０５ｂは、シェル半体１０５ａ，１０５ｂが相互に係止されているとき、収容ハウジング１０５ａ，１０５ｂの中空スペースの後側領域が、光ガイドバンドル６ａの挿入に用いられるクリンプ接続部１０６ａをクリンプスリーブ１０６ｂおよび座屈防止具１０６ｃとともに収容し、嵌合によって定着させることができるように成形されている。
【００４８】
収容ハウジング１０５ａ，１０５ｂはその前面に、シェル半体１０５ａ，１０５ｂが相互に係止されたときに、開いたフロント窓１６９を有している。両方のシェル半体１０５ａ，１０５ｂの主面、ならびにその上下の仕切面は、それぞれの内面に、フロント窓の領域に凹部１６５を有しており（図２４）、これらの凹部１６５は、シェル半体１０５ａ，１０５ｂが相互に係止されたときに、収容ハウジング１０５ａ，１０５ｂの内壁に、二重コネクタ１０１の長手方向に対して垂直方向へ全面的に周回する溝を形成する。この溝は、後側の直方体プレート１１７ｂを嵌合によって収容できるように成形されている。このように、シェル半体１０５ａ，１０５ｂが相互に分離しているときに、後側の直方体プレート１１７ｂを、まずシェル半体１０５ａ，１０５ｂの一方の凹部１６５に挿入し、次いでこのシェル半体を他方のシェル半体と係止することによって、コア内側ハウジング１０４を、収容ハウジング１０５ａ，１０５ｂの中で嵌合によって定着可能である。
【００４９】
二重ユニット１０３−１０４は収容ハウジング１０５ａ，１０５ｂとともにコネクタハウジング１０２の中に挿入され、このコネクタハウジングは実質的に直方体ハウジングとして施工されるとともに、互いに対向する２つの広いハウジング面と、その間に配置された２つの幅狭面とを備えている。コネクタハウジング１０２は、両方の端面が開いている。その両方の幅狭面は、前側端部の領域に切欠き１８４を有している。コアハウジング１０３、コア内側ハウジング１０４、および収容ハウジング１０５ａ，１０５ｂは、コネクタハウジング１０２の中で浮動式に保持される。
【００５０】
図２５は、すでに最初からコア内側ハウジング１０４ａを含んでおり、図２３に示す収容ハウジング１０５ａ，１０５ｂおよびコア内側ハウジング１０４の代わりに使用可能である、２部分からなる収容ハウジング１０５ｃ，１０５ｄの別の実施形態を示している。収容ハウジング１０５ｃ，１０５ｄは２つのシェル半体１０５ｃ，１０５ｄを含んでおり、一方のシェル半体１０５ｃはコア内側ハウジング１０４ａと堅固に結合されている。このシェル半体１０５ｃとコア内側ハウジング１０４ａは単一のモノリシックな成形部品であるのが好ましく、したがって、たとえば射出成形やプレス成形など、ただ１つの製造工程で製造できるのが好ましい。図２５ａは、シェル半体１０５ｃとコア内側ハウジング１０４ａとをカップリングの方向から見た前面図であり、図２５ｂはこれに対応する反対方向から見た図である。図２５ｃはシェル半体１０５ｃの外面を示す平面図であり、図２５ｄはその側面図であり、それぞれ図示しない光ガイドバンドル６ａが左側から挿入されており、コア内側ハウジング１０４ａは、シェル半体１０５ｃから右方に向かってカップリングの方向へ突出している。図２５ｅは、これに付属する他方のシェル半体１０５ｄを外観図で示している。
【００５１】
コネクタ１をカップリングに差し込むと、コアハウジング１０３がその前側端部で、相互の係止部によってカップリングの内部で係止される。個々のカップリングは外側カップリングハウジング１３１で構成されており（図２６）、その中に内側カップリングハウジング１３２が挿入されている。この両方の部分、すなわち外側カップリングハウジング１３１と内側カップリングハウジング１３２は、２つの同一のコネクタ１０１によって光導波路接続を継続させようとする場合には、２重に設けられているのが好ましい。外側カップリングハウジング１３１の収容容積部１３３には、コネクタハウジング１０２を差し込むことができ、そのために、外側カップリングハウジング１３１の収容容積部１３３の内部輪郭と、コネクタハウジング１０２の外側輪郭とは呼応するように成形されている。さらに外側カップリングハウジング１３１は、長手ウェブ１５３を収容し、それによってコネクタハウジング１０２（図２３）を案内するための案内溝１５４を有している。
【００５２】
図２７ａ，ｂ，ｃは、本発明による二重コネクタ１０１を外側カップリングハウジング１３１に連結するプロセスを模式的に示している。二重コネクタ１０１は収容ハウジング１０５ａ，１０５ｂを含んでおり、図２７にはシェル半体１０５ａだけが見えており、それに対して他方のシェル半体１０５ｂは隠れており、ならびにコア内側ハウジング１０４、コアハウジング１０３、および断面図で示すコネクタハウジング１０２が見えている。収容ハウジング１０５ａ，１０５ｂ、コア内側ハウジング１０４、およびコアハウジング１０３は、図２７では、図２４を参照して説明したように組み立てられているので、コア内側ハウジングの前側の直方体プレート１１７ａだけしか見えていない。コア内側ハウジングの残りの部分は、収容ハウジング１０５ａ，１０５ｂないしコアハウジング１０３の中に収容されているからである。コネクタハウジング１０２は、二重ユニット１０３−１０４の上に被せられている。図２６ａでは、二重コネクタ１０１が外側カップリングハウジング１３１にようやく部分的に差し込まれている。カップリングと二重コネクタの係止は、まだ成立していない。
【００５３】
図２７ｂでは、二重ユニット１０３−１０４および収容ハウジングからなるモジュールが、カップリングの中に完全に挿入されている。コアハウジング１０３は、横方向溝１３０と、アーム１３７に配置された係止ラグ１３８とによって、内側カップリングハウジング１３２と係止されている。ただしこの係止は、後側の収容ハウジングまたは光ガイドバンドル６ａ（図２７には図示せず）をわずかな力で引っ張ることによって、再び解消することができる。なぜなら係止ラグ１３８は、アーム１３７をごく軽微に側方へ外方に向かって切欠き１８４の中へ曲げながら、それによって横方向溝１３０から出るように撓ませることができるからである。
【００５４】
そして、コネクタハウジング１０２をカップリングの方向に押していくと、ついにはコネクタハウジングも係止ラグ１２８および係止窓１３５によって、外側カップリングハウジング１３１と係止される（図２７ｃ）。切欠き１８４は、図２７ｂに比べてカップリングの方向に変位しており、もはや係止ラグ１３８の領域にはない。コアハウジング１０３と内側カップリングハウジング１３２との間の係止は、収容ハウジング１０５ａ，１０５ｂまたは光ガイドバンドル６ａ（図２７には図示せず）を引っ張ることによっては、解消することができない。なぜなら係止ラグ１３８は、もはや側方へ横方向溝１３０から出るように撓ませることができないからである。コアハウジング１０３と内側カップリングハウジング１３２との間の係止は、図２７ｃに示すコネクタハウジング１０２の位置では解消可能でなく、したがって引抜き防止として機能する。コネクタとカップリングは互いに堅固にロックされている。
【００５５】
引抜き防止の不活動化、およびこれに伴うロック解除は、コネクタハウジング１０２を光ガイドバンドル６ａの方向へ引き戻して、図２７ｂに示す位置にすることによってのみ可能である。そのためには、まずストラップ１１３に圧力をかけ、それによって係止ラグ１２８を係止窓１３５から外へ撓ませ、次いで、コネクタハウジング１０２を光ガイドバンドル６ａの方向へ動かす。そして、係止ラグ１３８を側方へ撓ませながら、コネクタ１０１をわずかな力のコストで再びカップリングから外すことができる。
【００５６】
図２８には、本発明による多重・二重コネクタ１５６の別の実施形態１０１が、分解図として図示されている。この多重・二重コネクタ１５６は、実質的に、コネクタハウジング１４３と、上側および下側のハウジングシェルと、互いに同一に施工されている複数の二重ユニット１０３−１０４とで構成されており、二重ユニット１０３−１０４は、下側のハウジングシェル１４４と（図示しない）上側のハウジングシェルとを含む収容ハウジングの中に、相並んで配置されている。収容容積部の中には、クリンプ接続部１０６ａ、クリンプスリーブ１０６ｂ、および座屈防止具１０６ｃによって、光ガイドバンドル１０６ｄが挿入されている。
【００５７】
図２８の多重・二重コネクタを構成するために、ｎ倍の図２４の二重コネクタが設けられるのが好ましい。しかしながら、たとえば３つの単独フェルールが３重コアハウジングと３重コア内側ハウジングの中に配置されており、フェルールが相並んで、または相上下して配置されていてよい実施形態も同様に可能であり、特殊な用途向けには有意義である。
【００５８】
図２８に一例として図示している多重・二重コネクタ１５６では、収容ハウジングは、相上下して配置された２つのハウジングシェルでできており、そのうち下側のハウジングシェルだけが図示されており、これらのハウジングシェルの間に、二重コネクタ１０１の実施形態について説明したような二重ユニット１０３−１０４が相並んで配置されている。コア内側ハウジング１０４は、係止部によって相互に係止することができる。コアハウジング１０３は横方向溝１３０を有しており、その機能についてはすでに図２７を参照しながら説明したとおりである。二重ユニット１０３−１０４は多重コネクタハウジング１４３に差し込まれ、その内部で浮動式に保持されており、多重コネクタハウジング１４３は、相並んで配置されて相互に連結された複数の二重コネクタハウジング１５８，１５９を含んでいる。内部に位置する二重コネクタハウジング１５９も同一に施工されており、それぞれ縁部側の二重コネクタハウジング１５８は互いに左右対称に施工されている。内部の二重コネクタハウジング１５９はストラップ１１３と係止ラグ１２８を有しており、これらの機能は、すでに図２７を参照して説明したストラップ１１３および係止ラグ１２８の機能に呼応している。
【００５９】
図２９は、図２８のシェル半体１４４を、垂直方向の平面図で示している。図２８と図２９の例では合計８つのフェルール用として設計されている、本発明の多重・二重コネクタの下側のシェル半体１４４は、座屈防止具１０６ｃのための半円筒状の収容部と、クリンプ接続部１０６ａおよびファイバー分割部１９８を収容するためのそれぞれ１つのベット１９２とを有しており、このファイバー分割部は、通常、光ガイドバンドル１０６ｄの端部領域に、これを回り止めしながら定着させるために配置される。
【００６０】
シェル半体１４４の主面から上方に向かって延びている係止ラグ１９３は、下側のシェル半体１４４と、図示しない上側のシェル半体とを係止する役目を果たすものであり、係止ラグ１９３の形状と位置は、上側および下側のシェル半体が差異を有している必要がなく、同一に施工されていてよいが、それにもかかわらず相互に係止可能であるように選択するのが好ましい。シェル半体の前側の端部領域は、それぞれのシェル半体の間にある収容容積部が多重コネクタハウジング１５８を収容できるようにそれぞれ成形されており、案内ウェブ１９４によって互いに分離された４つの収容溝１９５が、それぞれ１つの二重ユニット１０３−１０４を収容する役目を果たす。
【００６１】
図３１と図３２は、図３０の多重カップリング１５１と連結された図２８の多重コネクタ１５６を示している。図３１は多重コネクタ・多重カップリングのシステムを示す外観図であり、それに対して図３２は、図３１よりも拡大した横断面図であり、ここでは視線の方向が図３１の矢印の方向に対応しており、図３２では多重コネクタ１５６の前側部分だけが図示されている。
【００６２】
多重カップリング１５１は、多重カップリング・外側ハウジング２３１と多重カップリング・内側ハウジング２３２とを含んでいる。多重コネクタ１５６は、図２８のシェル半体１４４とそれぞれ同一である２つのシェル半体１４４ａ，１４４ｂを含んでおり、ならびに４つの二重ユニット１０３−１０４と、多重コネクタハウジング１４３とを含んでいる。図３１では、二重ユニットはシェル半体１４４ａ，１４４ｂおよび多重コネクタハウジング１４３で隠されており、したがって見ることができない。図３２では、二重ユニット１０３−１０４が紙面に対して垂直な方向で相前後して位置している。
【００６３】
シェル半体１４４ａ，１４４ｂ、コア内側ハウジング１０４、およびコアハウジング１０３は、図３１と図３２では、図２８を参照して説明したように組み立てられている。各々のコア内側ハウジング１０４の後側の直方体プレート１１７ｂは、それぞれの４つの幅狭面に沿って、シェル半体１４４ａ，１４４ｂの対応する凹部２６５に収容されているので、コア内側ハウジング１０４はシェル半体１４４ａ，１４４ｂによって嵌合により保持されている。多重コネクタハウジング１４３は部分的に多重カップリング・外側ハウジング２３１の中に差し込まれており、多重コネクタハウジング１４３の、カップリングの方を向いている端部領域は、多重カップリング・外側ハウジング２３１と、多重カップリング・内側ハウジング２３２のコネクタ１５６の方を向いている端部領域との間にある。
【００６４】
多重コネクタハウジングの運動は、シェル半体１４４ａ，１４４ｂに対してはストッパ２８５ａ，２８５ｂによって、また多重カップリング・外側ハウジング２３１に対しては係止窓２１３と楔形断面の係止ラグ１２８ａによって、それぞれ制限されている。
【００６５】
多重カップリング・内側ハウジング２３２は係止ラグ２３８を有しており、係止ラグ２３８はそれぞれコアハウジング１０３の横方向溝１３０に係合する。したがってコアハウジング１０３は、横方向溝１３０と係止ラグ２３８によってカップリングと係止されている。コアハウジング１０３と多重カップリング・内側ハウジング２３２との間の係止は、コネクタ１５６または光ガイドバンドル（図３２には図示せず）を引っ張ることによっては、解消することができない。なぜなら係止ラグ２３８は、多重コネクタハウジング１４３の壁部のカップリング側の端部領域によって、側方へ横方向溝１３０から出るように撓むことができないよう妨げられているからである。コアハウジング１０３と多重カップリング・内側ハウジング２３２との間の係止は、図３２に示す多重コネクタハウジング１４３の位置では解消可能でなく、したがって引抜き防止として機能する。コネクタとカップリングは互いに堅固にロックされている。たとえばコネクタがカップリングから予期せず引き抜かれることはあり得ない。
【００６６】
引抜き防止の不活動化、およびこれに伴うロック解除は、切欠き２８４が係止ラグ２３８の領域にくるまで、多重コネクタハウジング１４３を光ガイドバンドル６ａの方向へ引き戻すことによってのみ可能である。そのためには、多重コネクタハウジング１４３をカップリングに対して、およびシェル半体１４４ａ，１４４ｂに対して光ガイドバンドル６ａの方向に動かし、それによって係止ラグ１１３を係止窓２１３から外に出し、切欠き２８４を係止ラグ２３８の領域に移動させる。そして、係止ラグ２３８を側方へ撓ませながら、多重コネクタ１５６をわずかな力のコストで再びカップリングから外すことができる。
【００６７】
当然ながら、４つとは異なる数の二重ユニット１０３−１０４を収容することができる変形例も考えられる。
【００６８】
光学情報の伝送を目的とするコネクタの小型化を可能にするのは、本発明による構造だけである。有利な実施形態では、外側カップリングハウジングは、コネクタの長軸に対して横向きの方向では約１２ｍｍの高さと約６ｍｍの幅を有するとともに、コネクタの長軸の方向へは（１，５６，１０１，１５６）１１ｍｍの長さを有しており、コアハウジングは、コネクタの長軸に対して横向きの方向で約６ｍｍの高さと約３．５ｍｍの幅を有している。
【００６９】
本発明の対象物により、特に光ガイドのバンドルの心線、すなわち個々のファイバーを、細いリボン同然に加工することができるという利点が生まれる。特に本発明の対象物は、従来技術の匹敵するコネクタに比べて４倍またはそれ以上のコネクタ密度を有している。本発明によるコネクタは、接続ケーブル、ジャンパケーブル、トランクケーブルに利用できるだけでなく、分配器キャビネットのボックスで供給をするためにも利用することができる。たとえばボックスの中で、８本ではなく３２本のファイバーを接触できるようになる。また、ロックを改善し、本発明によるコネクタの予期しない引抜きを防ぐために、追加のロックスリーブ（ロックフード）が設けられていてよい。
【００７０】
（産業上の利用可能性）
本発明は、特に、光ファイバー技術でコネクタを構成するために産業上利用することができ、本発明によるコネクタはコネクタ・カップリング・システムの一部であり、カップリングにコネクタを差し込むと、コアハウジングがその前側端部で、相互の係止部に基づいてカップリングで係止される。本発明の格別な有用性は、単独フェルールの決定的な利点がそのまま維持されるとともに、特に、カップリングの中で対向する２つのフェルールのａｐｃ接触の可能性が与えられる、二重コネクタまたは多重・二重コネクタの構成が本発明によって可能になるという利点にある。本発明のさらに別の有用性は、このコネクタが高い実装密度を可能にするという点にあり、このことは、本発明の二重ユニットに基づいて可能となる。同様に、このコネクタは高い信頼度の引抜き防止性も備えているので、誤って光ケーブルを引っ張っても、抜けることがあり得ない。
【図面の簡単な説明】
【図１】図１ａ，ｂ，ｃは、本発明による引抜き防止された係止の機能様式を示すため、カップリングにコネクタを差し込んだときの個々の部分の異なる相対位置を図示するように、本発明によるコネクタを示す模式的な断面図である。
【図２】図２は、すべての個別部品を図示するために二重コネクタを示す分解外観図である。
【図３】図３は、相互に差し込まれたコネクタを収容するために互いに接合された２つのカップリングを示す横断面図である。
【図４】図４は、図３を上から見た平面図である。
【図５】図５は、図３の外観図である。
【図６】図６は、図５の個別カップリングを示す外観図である。
【図７】図７は、図６に示す外側カップリングハウジングの内部にある内側カップリングハウジングを示す外観図である。
【図８】図８は、コネクタを２つのカップリングとともに示す縦断面図である。
【図９】図９は、２つのカップリングに相互に差し込まれた２つのコネクタを示す縦断面図である。
【図１０】図１０は、個別部品を図示するための、多重コネクタハウジングすなわち８重のコネクタハウジングを示す分解外観図である。
【図１１】図１１は、後側の収容ハウジングのハウジングシェルを示す平面図である。
【図１２】図１２は、図１１の端面から見た図である。
【図１３】図１３は、多重コネクタハウジングを示す平面図である。
【図１４】図１４は、図１４を側方から見た平面図である。
【図１５】図１５は、図１３のＣ−Ｃ線に沿った断面図である。
【図１６】図１６は、図１４のＡ−Ａ線に沿った断面図である。
【図１７】図１７は、図１４のＢ−Ｂ線に沿った断面図である。
【図１８】図１８は、図１９の多重コネクタハウジングを示す側面図である。
【図１９】図１９は、図１３の外観図である。
【図２０】図２０は、付属の多重カップリングを示す平面図である。
【図２１】図２１は、図２０のＡ−Ａ線に沿った断面図である。
【図２２】図２２は、図２の部分２のＡ−Ａ線に沿った断面図である。
【図２３】図２３は、すべての個別部品を図示するための、二重コネクタの別の実施形態を示す分解外観図である。
【図２４】図２４は、収容ハウジングの別の実施形態に基づくシェル半体を示す外観図である。
【図２５】図２５ａ，ｂ，ｃ，ｄは、収容ハウジングの別の実施形態に基づくシェル半体のさまざまな図である。
図２５ｅは、図２５ａ−ｄのシェル半体に属する他のシェル半体を示す外観図である。
【図２６】図２６は、外側カップリングハウジングの別の実施形態を示す外観図である。
【図２７】図２７ａ，ｂ，ｃは、本発明による引抜き防止された係止の機能様式を示すため、図２６のカップリングにコネクタを差し込んだときの個々の部分の異なる相対位置を図示するように図２３のコネクタを示す模式的な断面図である。
【図２８】図２８は、多重コネクタの別の実施形態を示す分解外観図である。
【図２９】図２９は、図２８のコネクタのシェル半体を示す平面図である。
【図３０】図３０は、図２８のコネクタに適合する多重カップリングを示す外観図である。
【図３１】図３１は、図３０のカップリングと連結された図２８のコネクタを示す外観図である。
【図３２】図３２は、本発明による引抜き防止された係止の機能様式を示すために、図２８のコネクタと図３０のカップリングを示す横断面図である。
【符号の説明】
１，１０１　二重コネクタ
２，１０２　コネクタハウジング
３，１０３　コアハウジング
４，１０４　コア内側ハウジング
５，１０５ａ，ｂ　後側の収容ハウジング
６，６ａ　光ガイドバンドル
７，８　光ファイバー
９，１０　セラミックフェルール
１１　回り止め
１２　圧縮ばね
１３，１１３　ストラップ
１４　２の収容容積部
１５，１５′，１１５，１１５′　貫通孔
１８，１８′，１１８，１１８′　貫通孔
１６，１１６　二重円筒
１７，１１７ａ，１１７ｂ　直方体プレート、前側と後側の直方体プレート
１９，１９′，４５　案内舌部
２０　５の収容容積部
２１，２８，３８，４６　係止ラグ
２２，２７，３５，３５′　係止窓
２３，１２３　１７，１１７ａの前側の幅広面
３４，４２，６３，１４２　幅狭面
２４　案内溝
２５　ウェブ
２６，１２６　幅広面
２９　握り窪み
３０，１３０　横方向溝
３１，３１′，１３１　外側カップリングハウジング
３２，３２′，１３２　内側カップリングハウジング
３３，１３１　３１，１３１の収容容積部
３６　プレート
３７，３７′，１３７　アーム
３９　収容部
４０　貫通孔
４１　案内スリーブ
４３　多重コネクタハウジング
４４，１４４　ハウジングシェル
４７　収容溝
４８，４９　係止窓
５０　主面
５１　外側カップリングハウジング
５２　収容部
５３，６２，１５３　長手ウェブ
５４，５５，６４，１５４　案内溝
５６，１５６　多重・二重コネクタ
５７，１５７　３，１０３の端面
５８，５９　二重コネクタハウジング
６０　係止ラグ
１０６ａ　クリンプ接続部
１０６ｂ　クリンプスリーブ
１０６ｃ　座屈防止具
１０６ｄ　光ガイドバンドル
１１３　ストラップ
１１７ｃ　連結ウェブ
１２８ａ　係止ラグ
１３０　横方向溝
１３５　係止窓
１３８　係止ラグ
１４３　コネクタハウジング
１４４，１４４ａ，１４４ｂ　シェル半体
１５１　多重カップリング
１５６　多重コネクタ
１５８，１５９　二重コネクタハウジング
１６５　凹部
１６８　係止窓
１６９　フロント窓
１８４，１９０　切欠き
１９１　受容部
１９２　ベット
１９４　案内ウェブ
１９５　収容溝
１９８　ファイバー分割部
２１３　係止窓
２３１　多重カップリング・外側ハウジング
２３２　多重カップリング・内側ハウジング
２６５　凹部
２８４　切欠き
２８５ａ，ｂ　ストッパ
【図１５】
2004514931.tif 000003
【図１６】
2004514931.tif 000004
【図１７】
2004514931.tif 000005
【図２２】
2004514931.tif 000006
【国際公開パンフレット】
2004514931.tif 000007
2004514931.tif 000008
2004514931.tif 000009
2004514931.tif 000010
2004514931.tif 000011
2004514931.tif 000012
2004514931.tif 000013
2004514931.tif 000014
2004514931.tif 000015
2004514931.tif 000016
2004514931.tif 000017
2004514931.tif 000018
2004514931.tif 000019
2004514931.tif 000020
2004514931.tif 000021
2004514931.tif 000022
2004514931.tif 000023
2004514931.tif 000024
2004514931.tif 000025
2004514931.tif 000026
2004514931.tif 000027
2004514931.tif 000028
2004514931.tif 000029
2004514931.tif 000030
2004514931.tif 000031
2004514931.tif 000032
2004514931.tif 000033
2004514931.tif 000034
2004514931.tif 000035
2004514931.tif 000036
2004514931.tif 000037
2004514931.tif 000038
2004514931.tif 000039
2004514931.tif 000040
2004514931.tif 000041
2004514931.tif 000042
2004514931.tif 000043
2004514931.tif 000044
2004514931.tif 000045
2004514931.tif 000046
2004514931.tif 000047
2004514931.tif 000048
2004514931.tif 000049
2004514931.tif 000050
2004514931.tif 000051
2004514931.tif 000052
2004514931.tif 000053
2004514931.tif 000054
2004514931.tif 000055
2004514931.tif 000056
2004514931.tif 000057
2004514931.tif 000058
【手続補正書】
【提出日】平成14年12月30日(2002.12.30)
【手続補正１】
【補正対象書類名】明細書
【補正対象項目名】特許請求の範囲
【補正方法】変更
【補正の内容】
【特許請求の範囲】
【請求項１】
光導波路（６，６ａ，７，８，１０６ｄ）用のコネクタ（１，５６，１０１，１５６）であって、コネクタハウジング（２，４３，１０２，１４３）を備えており、コネクタハウジングの後側端部には、少なくとも２つの光導波路ファイバー（７，８）を備える光ガイドバンドル（６，６ａ，７，８，１０６ｄ）が挿入されるとともに、これと対向するコネクタハウジングの前側端部からは、光導波路ファイバー（７，８）のそれぞれ１つが挿入されたフェルール（９，１０）が出ており、このフェルール（９，１０）はフェルールハウジング（３，４，１０３，１０４）の中で保持されており、このフェルールハウジングは、フェルールハウジング（３，４，１０３，１０４）を収容するために相応に成形されたコネクタハウジング（２，４３，１０２，１４３）に挿入されており、フェルール（９，１０）はばね負荷を受けて軸方向に可動であり、フェルールハウジングは、２つの個々のフェルール（９，１０）を収容するために構成されたコアハウジング（３，１０３）とコア内側ハウジング（４，１０４）とからなっており、フェルール（９，１０）はコアハウジング（３，１０３）の中で保持されており、それぞれのフェルール（９，１０）の前側端部はコアハウジング（３，１０３）を通って前方に突き出しており、それぞれのフェルール（９，１０）の後側端部はコア内側ハウジング（４，１０４）の中に突入しており、コアハウジング（３，１０３）とコア内側ハウジング（４，１０４）は少なくとも部分的に相互に差し込まれていており、このコネクタ（１，５６，１０１，１５６）は、コネクタ（１，５６，１０１，１５６）を収容するカップリングハウジング（３１，３１′，１３１，３２，３２′，１３２）と嵌め合わせる用途に定められている形式のものにおいて、
コア内側ハウジング（４）が、貫通孔（１８，１８′）を備える直方体プレート（１７）を含んでおり、この直方体プレートの前面（２３）には、コネクタ（１，５６）の軸方向に延びる、貫通孔（１８，１８′）を備える二重円筒（１６）が冠着されており、直方体プレートの後面には、後側の収容ハウジング（５）に挿入するために２つの案内舌部（１９，１９′）が軸方向に延びており、案内舌部（１９，１９′）と収容ハウジング（５）は相互の係止手段（２１，２２）を有していることを特徴とするコネクタ。
【請求項２】
前記係止手段（２１，２２）が係止ラグ（２１）と係止窓（２２）であり、係止ラグ（２１）は案内舌部（１９，１９′）に配置されており、収容ハウジング（５）は、それぞれ１つの係止窓（２２）を有する側壁（２３）を備える直方体ハウジング（５）の形状を有しており、案内舌部（１９，１９′）を収容ハウジングに挿入した後、この側壁に係止ラグを係止することができることを特徴とする、請求項１に記載のコネクタ。
【請求項３】
収容ハウジングが、相上下して配置された２つのハウジングシェル（４４，１４４，１４４ａ，１４４ｂ）でできており、これらのハウジングシェルの間には、多重・二重コネクタ（５６，１５６）を構成するために、コアハウジング（３，１０３）とコア内側ハウジング（４，１０４）とからなる二重ユニット（３−４，１０３，１０４）が同一の形で多重に存在していて相並んで配置されており、コア内側ハウジング（４）はハウジングシェル（４４）の中で係止部（２１，４８，４９）によって相互に係止されており、二重ユニット（３−４）は多重コネクタハウジング（４３）の中に差し込まれて、その内部で浮動式に保持されており、この多重コネクタハウジングは、相並んで配置されて相互に連結された複数の二重コネクタハウジング（５８，５９）からなっていることを特徴とする、請求項１または２に記載のコネクタ。
【請求項４】
多重コネクタハウジング（４３）の二重コネクタハウジング（５８，５９）の少なくとも一部が、収容ハウジング（４４）とのロックを解除するためのストラップ（１３）を有していることを特徴とする、請求項３に記載のコネクタ。
【請求項５】
コア内側ハウジング（１０４）が、貫通孔（１１８，１１８′）を備える前側の直方体プレート（１１７ａ）と、両方の案内舌部の代わりに前側の直方体プレート（１１７ａ）から光導波路（１０６ａ）の方向で平行に間隔をおいた、連結ウェブ（１１７ｃ）によって前側の直方体プレート（１１７ａ）とつながれた後側の直方体プレート（１１７ｂ）とを含んでおり、連結ウェブ（１１７ｃ）の側方ないし垂直方向の長さは、後側の直方体プレート（１１７ｂ）の側方ないし垂直方向の長さよりも短く、
前側の直方体プレート（１１７ａ）の前面（１２３）には、コネクタ（１０１）の軸方向に延びる、貫通孔（１１８，１１８′）を備える二重円筒（１１６）が冠着されており、
収容ハウジング（１０５ａ，１０５ｂ，１４４，１４４ａ，１４４ｂ）は相互に係止可能な２つのシェル半体（１０５ａ，１０５ｂ，１４４，１４４ａ，１４４ｂ）でできており、両方のシェル半体（１０５ａ，１０５ｂ，１４４，１４４ａ，１４４ｂ）の主面はそれぞれの内側に、収容ハウジング（１０５ａ，１０５ｂ，１４４，１４４ａ，１４４ｂ）の前側端部の領域にそれぞれ凹部（１６５，２６５）を有しており、この凹部は、シェル半体（１０５ａ，１０５ｂ，１４４，１４４ａ，１４４ｂ）が相互に係止されているとき、後側の直方体プレート（１１７ｂ）を嵌合によって収容することができることを特徴とする、請求項１に記載のコネクタ。
【請求項６】
収容ハウジング（１４４，１４４ａ，１４４ｂ）が、相上下して配置された２つのハウジングシェル（１４４，１４４ａ，１４４ｂ）でできており、これらのハウジングシェルの間に二重ユニット（１０３−１０４）が相並んで配置されており、二重ユニット（１０３−１０４）ならびに収容ハウジング（１４４，１４４ａ，１４４ｂ）は多重コネクタハウジング（１４３）の中に差し込まれてその内部で浮動式に保持されており、この多重コネクタハウジングは、相並んで配置されて相互に連結された複数の二重コネクタハウジング（１５８，１５９）を含んでいることを特徴とする、請求項３に記載のコネクタ。
【請求項７】
コアハウジング（３，１０３）が、コネクタ（１，５６，１０１，１５６）の長軸に対して横向きの方向で約６ｍｍの高さと約３．５ｍｍの幅を有していることを特徴とする、前記請求項のうちいずれか１項に記載のコネクタ。
【請求項８】
請求項１から１１までのいずれか１項に記載のコネクタを備えるコネクタ・カップリング・システムにおいて、
コネクタ（１，５６，１０１，１５６）が、それぞれ１つのコアハウジング（３，１０３）とコア内側ハウジング（４，１０４）によって形成される少なくとも１つの二重ユニット（３−４，１０３−１０４）を含んでおり、コアハウジング（３，１０３）とカップリング（３１，３１′，３２，３２′，５１，１３１，１３２，１５１）が相互に係止されると、コネクタハウジング（２，４３，１０２，１４３）がコネクタ（１，５６，１０１，１５６）の長手方向でコアハウジング（３，１０３）およびカップリング（３１，３１′，３２，３２′，５１，１３１，１３２，１５１）に対して、引抜き防止部を活動化する目的のために第１の位置へ変位可能であるとともに、引抜き防止部を不活動化する目的のために第２の位置へ変位可能であり、
第１の位置では、コネクタハウジング（２，４３，１０２，１４３）の壁部の一部が係止ラグ（３８，３８′，１３８）の領域で、アーム（３７，３７′，１３７）の係止ラグ（３８，３８′，１３８）が横方向溝（３０，１３０）から出るような可撓性がなくなるように配置され、それにより、光ガイド（６，６ａ，１０６ｄ）や収容ハウジング（５，４４，１０５，１４４，１４４ａ，１４４ｂ）を引っ張っることによって、コネクタ（１，５６，１０１，１５６）とカップリング（３１，３１′，３２，３２′，５１，１３１，１３２，１５１）の機械的な連結を解消可能ではないが、
第２の位置では、コネクタハウジング（２，４３，１０２，１４３）の壁部のどの部分も係止ラグ（３８，３８′，１３８）の領域に配置されないので、アーム（３７，３７′，１３７）の係止ラグ（３８，３８′，１３８）が横方向溝（３０，１３０）から出るような可撓性が生じており、光ガイド（６，６ａ，１０６ｄ）や収容ハウジング（５，４４，１０５，１４４，１４４ａ，１４４ｂ）を引っ張っることによって、コネクタ（１，５６，１０１，１５６）とカップリング（３１，３１′，３２，３２′，５１，１３１，１３２，１５１）の機械的な連結を解消可能であることを特徴とする、コネクタ・カップリング・システム。
【請求項９】
コネクタハウジング（２，４３，１０２，１４３）が第２の位置にあるとき、横方向溝（３０，１３０）から出ようとする係止ラグ（３８，３８′，１３８）の可撓性は、アーム（３７，３７′，１３７）が、カップリング（３１，３１′，３２，３２′，５１，１３１，１３２，１５１）と反対を向いている方の端部領域で、コネクタハウジング（２，４３，１０２，１４３）の壁部の切欠きに係合できることによって生じることを特徴とする、請求項８に記載のコネクタ・カップリング・システム。
【請求項１０】
外側カップリングハウジング（３１，３１′，１３１）が、コネクタ（１，５６，１０１，１５６）の長軸に対して横向きの方向では約１２ｍｍの高さと約６ｍｍの幅を有するとともに、
ことを特徴とする、請求項８に記載のコネクタ・カップリング・システム。
【請求項１１】
コネクタ（１，５６，１０１，１５６）をカップリング（３１，３１′，３２，３２′，５１，１３１，１３２，１５１）に差し込むと、コアハウジング（３，１０３）がその前側端部で相互の係止部（３０，３８，１３０，１３８）によりカップリング（３１，３１′，３２，３２′，５１，１３１，１３２，１５１）に係止され、コアハウジング（３，１０３）に関する、コアハウジング（３，１０３）とカップリング（３１，３１′，３２，３２′，５１，１３１，１３２，１５１）の相互の係止部は、コアハウジング（３，１０３）の幅狭面（４２，１４２）に延びる横方向溝（３０，１３０）を含んでおり、カップリングは外側カップリングハウジング（３１，３１′，１３１）と内側カップリングハウジング（３２，３２′，１３２）とを含んでおり、この内側カップリングハウジングは実質的に直方体のプレート（３６）を有しており、このプレートの上には２つのアーム（３７，３７′，１３７）が屹立しており、これらのアームの端部には係止ラグ（３８，１３８）が配置されており、これらの係止ラグは、コアハウジング（３，１０３）を内側カップリングハウジング（３２，３２′，１３２）の両方のアーム（３７，３７′，１３７）の間に差し込んだときに、横方向溝（３０，１３０）に係止されることを特徴とする、請求項８に記載のコネクタ・カップリング・システム。
【手続補正２】
【補正対象書類名】明細書
【補正対象項目名】０００１
【補正方法】変更
【補正の内容】
【０００１】
（技術分野）
本発明は、請求項１の上位概念に基づく、光導波路用のコネクタであって、コネクタハウジングを備えており、コネクタハウジングの後側端部には、少なくとも２つの光導波路ファイバーを備える光ガイドバンドルが挿入されるとともに、これと対向するコネクタハウジングの前側端部からは、光導波路ファイバーのそれぞれ１つが挿入されたフェルールが出ており、このフェルールはフェルールハウジングの中で保持されており、このフェルールハウジングは、フェルールハウジングを収容するために相応に成形されたコネクタハウジングに挿入されており、フェルールはばね負荷を受けて軸方向に可動であり、フェルールハウジングは、２つの個々のフェルールを収容するために構成されたコアハウジングとコア内側ハウジングとからなっており、フェルールはコアハウジングの中で保持されており、それぞれのフェルールの前側端部はコアハウジングを通って前方に突き出しており、それぞれのフェルールの後側端部はコア内側ハウジングの中に突入しており、コアハウジングとコア内側ハウジングは少なくとも部分的に相互に差し込まれていており、このコネクタは、コネクタを収容するカップリングハウジングと嵌め合わせる用途に定められている形式のものに関する。


【手続補正３】
【補正対象書類名】明細書
【補正対象項目名】０００４
【補正方法】変更
【補正の内容】
【０００４】
さらには、不適切な取扱によって予期せぬコネクタの引抜きが起こらないように、コネクタが固定されていなくてはならない。光ガイドケーブル自体が強く引っ張られることによっても、取外し機構が外れる可能性があることが示されている。そのためにコネクタとカップリングの間の連結が外れるのは好ましくない。
冒頭に述べた光導波路用コネクタの分野に属する従来技術のコネクタが、ＵＳ−Ａ−４７５９５９９によって公知となっている。さらに別の類似するコネクタが、ＪＰ−Ａ−６３１９３１０９によって公知となっている。
【手続補正４】
【補正対象書類名】明細書
【補正対象項目名】０００５
【補正方法】変更
【補正の内容】
【０００５】
（技術的な課題）
本発明の課題は、単独フェルールの利点が維持されており、特に、対応する２つのフェルールのａｐｃ接触の可能性が与えられている、二重コネクタまたは多重・二重コネクタの構造を可能にする、当分野に属する種類のコネクタを提供することである。さらにこのコネクタは、高い実装密度を可能にし、高い信頼度の引抜き防止を有しており、それにより、誤ってケーブルを引っ張ることによって引き抜かれることがないのが望ましい。


【手続補正５】
【補正対象書類名】明細書
【補正対象項目名】０００６
【補正方法】変更
【補正の内容】
【０００６】
（本発明の開示、本発明の利点）
この課題は、本発明によれば、冒頭に述べた分野の光導波路用のコネクタにおいて、コア内側ハウジングが、貫通孔を備える直方体プレートを含んでおり、この直方体プレートの前面には、コネクタの軸方向に延びる、貫通孔を備える二重円筒が冠着されており、直方体プレートの後面には、後側の収容ハウジングに挿入するために２つの案内舌部が軸方向に延びており、案内舌部と収容ハウジングは相互の係止手段を有していることによって解決される。


【手続補正６】
【補正対象書類名】明細書
【補正対象項目名】０００７
【補正方法】変更
【補正の内容】
【０００７】
コネクタのコア内側ハウジングは少なくとも部分的にコアハウジングの中に差し込まれており、コア内側ハウジングの後側部分は、光ガイドバンドルが挿入されている収容ハウジングに収容されており、コアハウジングと、コア内側ハウジングと、収容ハウジングとはコネクタハウジングの中に差し込まれて、そこで浮動式に保持されている。


【手続補正７】
【補正対象書類名】明細書
【補正対象項目名】０００８
【補正方法】変更
【補正の内容】
【０００８】
別の実施形態では、このコネクタのコアハウジングが、側壁と前側の端面とを備える直方体ハウジングの形状を有しており、この端面には、フェルールを挿通するための２つの貫通孔が中央にあり、この直方体ハウジングはフェルールを収容するために後方に向かって開いている。


【手続補正８】
【補正対象書類名】明細書
【補正対象項目名】０００９
【補正方法】変更
【補正の内容】
【０００９】
このコネクタのコア内側ハウジングは、本発明によれば、貫通孔を備える直方体プレートを含んでおり、この直方体プレートの前面には、コネクタの軸方向に延びる、２つの貫通孔を備える二重円筒が冠着されており、直方体プレートの後面には、後側の収容ハウジングに挿入するために２つの案内舌部が軸方向に延びており、案内舌部と収容ハウジングは相互の係止手段を有している。


【手続補正９】
【補正対象書類名】明細書
【補正対象項目名】００１１
【補正方法】変更
【補正の内容】
【００１１】
特に、常に同時に２つのフェルールを保持するための二重ユニットは、多重・二重コネクタの構造を可能にするものであり、すなわち、従来技術の匹敵するコネクタよりもコンパクトに、かつ著しく小型に構成された２ｎ二重コネクタの構造を可能にする。多重・二重コネクタを構成するために、前側のコアハウジングと後側のコア内側ハウジングとからなる二重ユニットが同一の形で多重に存在しており、これらの二重ユニットは収容ハウジングの中で相並んで配置されている。


【手続補正１０】
【補正対象書類名】明細書
【補正対象項目名】００１３
【補正方法】変更
【補正の内容】
【００１３】
別の有利な実施形態では、コア内側ハウジングが、貫通孔を備える前側の直方体プレートと、両方の案内舌部の代わりにこれから光導波路の方向で平行に間隔をおいた、連結ウェブによって前側の直方体プレートとつながれた後側の直方体プレートとを含んでおり、連結ウェブの側方ないし垂直方向の長さは、後側の直方体プレートの側方ないし垂直方向の長さよりも短い。前側の直方体プレートの前面には、コネクタの軸方向に延びる、コア内側ハウジングにフェルールを挿通する役目をする貫通孔を備える二重円筒が冠着されている。収容ハウジングは相互に係止可能な２つのシェル半体でできており、両方のシェル半体の主面はそれぞれの内側に、収容ハウジングの前側端部の領域にそれぞれ凹部を有しており、この凹部は、シェル半体が相互に係止されているとき、後側の直方体プレートを嵌合によって収容することができる。




【国際調査報告】
2004514931.tif 000059
2004514931.tif 000060
2004514931.tif 000061
2004514931.tif 000062
2004514931.tif 000063
2004514931.tif 000064